(57)【要約】【課題】  複数のパーツを縫い合わせなくとも縫い糸模様、ギザ模様、穴飾り等の装飾を備えた甲革と、その甲革を使用した靴を提供することにある。【解決手段】  甲革材にレーザ加工による模様を備えたものである。その模様は、少なくとも、複数のパーツを縫合して甲革を形成することにより形成される縫い糸模様と同様の模様（縫い糸風模様）を備えたものである。縫い糸風模様は複数のパーツを縫合した場合に形成される箇所に相当する箇所に二列（二本）に設け、二本の縫い糸風模様の間にレーザ加工による親子穴を備えたものであってもよい。前記縫い糸風模様の他に、ギザ模様、甲革の爪先部分の穴飾り（メダリオン）、その他の箇所に任意のデザインの各種模様を備えることもできる。【選択図】図１
2017217172.tif 000002
【特許請求の範囲】
【請求項１】
模様を備えた模様付き甲革において、
甲革材にレーザ加工による模様を備え、
模様が、甲革用のパーツを縫合して形成される糸模様と同様の縫い糸風模様である、
ことを特徴とする模様付き甲革
【請求項２】
請求項１記載の模様付き甲革において、
模様が、縫い糸風模様の他に、穴模様と他の形状、デザインの模様の二以上を備えた、
ことを特徴とする模様付き甲革。
【請求項３】
請求項１又は請求項２記載の模様付き甲革において、
模様が甲革材を表裏面に貫通した抜き模様、又は、甲革材の表面側から厚さ方向途中までの深さの表面模様である、
ことを特徴とする模様付き甲革。
【請求項４】
甲革を備えた靴において、
甲革が請求項１から請求項３のいずれか１項に記載の模様付き甲革であり、
模様付き甲革が、表底、表底の上に設けた中底、甲革、表底の踵側底面に取り付けた積上げ、積上げの下に取り付けた化粧等の靴用パーツと組み合わせて任意の製法で製作されたものである、
ことを特徴とする靴。
【発明の詳細な説明】
【技術分野】
【０００１】
本発明は模様付き甲革と、その甲革を使用した紳士靴、婦人靴といった各種靴に関するものである。
【背景技術】
【０００２】
紳士靴、婦人靴等の靴には各種製法、スタイル、デザインのものがある。製法としてはグッドイヤウエルト式、セメンテッド式、マッケイ式、ステッチダウン式等がある。スタイルとしてはオックスフォード（外羽根）、バルモラル（内羽根）、ブラッチャー、サドル、ギリー、ブローグ、モンクストラップ、ローファー等がある。デザインとしてはブレーントウ、ウイングチップ、ストレートチップ、Ｕチップ、タッセル等がある。
【０００３】
前記いずれの靴も、必要に応じて、甲革（アッパー）に模様が施されることがある。スタイル、デザイン等によっても異なるが、靴には図６に示すような多くのチップやパーツ等（以下「パーツ」という。）を縫合して製作されるものもある。サドル、ギリー、ブローグ等の靴の場合は、複数のパーツの周縁部を上下に重ね、重合部を縫い合わせて甲革を製作している。一例として図６に示すパーツは左足用のものであり、ウイングチップ爪型１、腰表内型２、羽根内型３、腰表外型４、羽根外型５、ウイングチップ本体型６、舌型７、市革８等である。ウイングチップ爪型１にはメダリオン（爪先部分の穴飾り）１ａ、ギザ模様（内側周縁部のギザギザの模様）１ｂ、親子穴１ｃ等の模様がある。羽根内型３及び羽根外型５には鳩目穴３ａ、５ａ、ギザ模様（外周縁のギザギザ模様）３ｂ、５ｂ、親子穴３ｃ、５ｃが設けられている。右足用の場合は、図示したパーツの対称形状となる。
【０００４】
前記した多くのパーツは上下に重ね合わされ、重合部が縫い糸９で縫合されて、図５（ａ）に示すような甲革１０に仕上げられる。縫合部の一例を図５（ｂ）に示す。図５（ｂ）は図５（ａ）のＢ−Ｂ断面であり、舌型７の上に腰表内型２と腰表外型４を重ね、その上にウイングチップ爪型１、羽根内型３と羽根外型５を重ね、重ねたパーツの周縁部（ウイングチップ爪型１と腰表内型２、腰表内型２と羽根内型３、ウイングチップ爪型１と腰表外型４、腰表外型４と羽根外型５）の夫々を、縫い糸９で平行に縫合してある。この縫い糸９が平行な二本の縫い糸模様１１ａ、１１ｂとなる。より詳細には、縫い糸模様１１ａは図６のウイングチップ爪型１と腰表内型２を縫製することにより形成される縫い糸模様であり、ウイングチップ爪型１と腰表外型４を縫製することにより形成される縫い糸模様でもある。これら縫い糸模様１１ａは二本一組としてほぼ一定間隔で平行に形成されている。縫い糸模様１１ｂは図６の腰表内型２と羽根内型３を縫製することにより形成される縫い糸模様であり、腰表外型４と羽根外型５を縫製することにより形成される縫い糸模様でもある。これら縫い糸模様１１ｂも二本一組としてほぼ一定間隔で平行に形成されている。二本の縫い模様１１ａの間にはウイングチップ爪型１の親子穴１ｃで、二本の縫い模様１１ｂの間には羽根内型３及び羽根外型５の親子穴３ｃ、５ｃで模様（通常「穴飾り」という）を設けてある。
【先行技術文献】
【非特許文献】
【０００５】
【非特許文献１】改定20版  「新」靴の商品知識（エフワークス（株）発行）：31〜64頁
【発明の概要】
【発明が解決しようとする課題】
【０００６】
前記縫い糸模様は複数のパーツを縫い合わせることによりできるため、複数のパーツを縫い合わせない靴の場合はできなかった。
【０００７】
本発明の解決課題は、複数のパーツを縫い合わせなくとも縫い糸模様、ギザ模様、穴飾り等の装飾を備えた甲革と、その甲革を使用した靴を提供することにある。
【課題を解決するための手段】
【０００８】
本発明の模様付き甲革は、甲革材にレーザ加工による模様を備えたものであり、その模様は、少なくとも、複数のパーツを縫合して甲革を形成することにより形成される縫い糸模様と同様の模様（縫い糸風模様）を備えたものである。前記縫い糸風模様は複数のパーツを縫合した場合に形成される箇所に相当する箇所（縫い糸風模様形成箇所）に二列（二本）に設け、二本の縫い糸風模様の間にレーザ加工による親子穴を備えたものであってもよい。本発明では前記縫い糸風模様の他に、ギザ模様、甲革の爪先部分の穴飾り（メダリオン）、その他の箇所に任意のデザインの各種模様を備えることもできる。
【０００９】
本発明の靴は、前記模様付き甲革を使用した靴である。靴はどのような製法、スタイル、デザインの靴であってもよい。
【発明の効果】
【００１０】
本発明によれば、パーツを縫い糸で縫合しなくても、縫い糸風模様を備えた模様付き甲革及びそれを使用した靴を得ることができる。また、縫い糸を使用しないので縫い糸穴ができず、縫い糸穴からの靴内への雨水の浸入、或いは縫い糸を伝っての靴内への雨水の浸入がない。
【図面の簡単な説明】
【００１１】
【図１】本発明の模様付き甲革の一例であり、（ａ）は斜視図、（ｂ）は（ａ）のＡ−Ａ断面部分説明図。
【図２】（ａ）は本発明の模様付き甲革の三つのパーツの分解図、（ｂ）は舌型を一枚の甲革材の裏面に縫合した場合の説明図。
【図３】本発明の靴の一例を示す斜視図。
【図４】本発明の靴の分解図。
【図５】（ａ）従来の靴の一例を示す斜視図、（ｂ）は（ａ）のＢ−Ｂ断面部分説明図。
【図６】従来の靴のウイングチップ（八つのパーツ）の説明図。
【発明を実施するための形態】
【００１２】
（模様付き甲革の実施形態）
本発明の模様付き甲革の一例を図面に基づいて説明する。この実施形態は左足用の模様付き甲革であるが、右足用の模様付き甲革であってもよい。右足用の場合は図示した模様付き甲革と対称形状となる。
【００１３】
図１（ａ）に示す模様付き甲革２０は、図２（ａ）に示す一枚の甲革材２１と舌型（紐下パーツ）２２と、市革（踵パーツ）２３を備える。
【００１４】
甲革材２１の材料は皮革、合成皮革、その他の任意の材料である。甲革材２１は必要な輪郭形状に切断加工してある。この切断は刃物により行うこともレーザ加工により行うこともできる。図１（ａ）では甲革材２１をレーザ加工により部分的に切断して、左右の羽根２４ａ、２４ｂ、左右の腰２５ａ、２５ｂ、履き口２６を形成してある。
【００１５】
甲革材２１の羽根２４ａ、２４ｂの裏側には、甲革材２１と別に用意された舌型２２を取り付けてある。舌型２２は甲革材２１の裏側に宛がい、その先端縁２２ａを甲革材２１に縫製し、両側縁２２ｂ、２２ｃ及び履き口側縁２２ｄの三方の周縁は縫製せずにフリーにしてあり、履き口側縁２２ｄを履き口２６に突出させてある。
【００１６】
市革２３は図１（ａ）に示すように甲革２０の踵部分に縫製するものである。図１（ａ）の市革２３は細長であるが靴によっては形状が異なる場合もあり、ない場合もある。
【００１７】
図２（ａ）に示す甲革材２１には図１（ａ）に示すような模様が施されている（図２（ａ）では省略）。図１（ａ）の模様は甲革材２１にレーザを照射することにより（レーザ加工により）形成されている。
【００１８】
一例として図１（ａ）に示す模様は、二箇所の縫い糸風模様２７ａ、２７ｂ、親子穴２８、ギザ模様２９、３０、メダリオン３１であるが、本発明の甲革の模様はこれ以外のものであってもよい。これら模様は甲革２０の任意箇所に形成することができる。前記二箇所の縫い糸風模様２７ａ、２７ｂは既存の靴（図５（ａ））における縫い糸模様１１ａ、１１ｂと同様の箇所に形成されている。具体的には、縫い糸風模様２７ａは、図６のウイングチップ爪型１と腰表内型２を縫製することにより形成される縫い糸模様１１ａ及びウイングチップ爪型１と腰表外型４を縫製することにより形成される縫い糸模様１１ａと同様の模様であり、それら縫い糸模様１１ａと同様の箇所に二本一組としてほぼ一定間隔で形成されている。縫い糸風模様２７ｂは、図６の腰表内型２と羽根内型３を縫製することにより形成される縫い糸模様１１ｂ及び腰表外型４と羽根外型５を縫製することにより形成される縫い糸模様１１ｂと同様の模様であり、それら縫い糸模様１１ｂと同様の箇所に二本一組としてほぼ一定の間隔で形成されている。
【００１９】
二本の縫い糸風模様２７ａ、２７ｂ（図１（ａ））の間には、親子穴２８がレーザ加工により形成されている。親子穴２８は径の大きな親穴２８ａと径の小さな子穴２８ｂである。
【００２０】
二組の縫い糸風模様２７ａ、２７ｂのうち、外側の縫い糸風模様２７ａの内側にはギザ模様２９が、内側の縫い糸風模様２７ｂの外側にはギザ模様３０がレーザ加工により形成されている。前記縫い糸風模様２７ａ、２７ｂとギザ模様２９、３０を形成することにより、既存のパーツを組み合わせて縫合した靴と同様のイメージの模様になる。
【００２１】
甲革材２１の爪先部分にはメダリオン３１がレーザ加工により形成されている。メダリオン３１の穴径の大きさ、穴の配列等は任意に設計することができる。
【００２２】
羽根２４ａ、２４ｂには鳩目穴３２が形成されている。図１（ａ）の鳩目穴３２は既存の鳩目穴と同様に刃物で打ち抜いて形成してあるが、可能であれば、レーザ加工で形成することもできる。
【００２３】
レーザ加工による模様は甲革材２１の表裏面に貫通する模様（抜き模様）であってもよく、甲革材２１の表面から肉厚方向途中までの深さの模様（表面模様）であってもよい。これら模様はレーザの熱で焦げ模様にすることもできる。レーザ加工による模様の深さ（切込みの深さ）は甲革材２１の厚さに応じて任意に設定可能であるが、少なくとも、甲革釣り込み時に、模様成形箇所が破断しない程度の深さにする。一例としては、甲革材２１の厚さが1.5mm±0.1mmの場合、0.4mm±0.1mm程度の深さにすると、甲革材２１の強度劣化がほとんどなく、模様も明確になる。0.4mm±0.1mm程度の深さは、甲革材２１が天然皮革の場合、吟面層（スキン面）の厚さ相当である。
【００２４】
本発明における模様は図示した以外の模様であってもよく、例えば、幾何学模様、風景、植物、動物等の装飾文字、キャラクターの図形、着用者の家紋、文字、数字、記号といった模様等であってもよい。文字、数字、記号等の場合は、それらを単独で表示した単独模様とすることも、多数を表示した多数模様とすることもできる。それら模様の形成箇所は甲革材２１の任意箇所とすることができる。
【００２５】
前記のように模様が形成された甲革材２１の裏面には、既存の甲革材と同様にメッシュ、布、薄皮、その他の材質、構造の補強材が張られ、補強材の内側に裏革が貼り付けられている。補強材は靴によっては貼らない場合もある。
【００２６】
レーザ加工機には、用途に応じて、汎用のレーザ加工機、例えば、レーザ彫刻機、レーザ切断機、レーザマーキング機といったものを使用することができる。また、レーザ光源はＣＯ２レーザ、ファイバーレーザ、結晶レーザ、その他のいずれであってもよい。本発明のレーザ加工には、甲革材２１の表面を焼くことができる表面焼きと、甲革材２１が抜けるまで焼くことができる焼抜きを同時に行うことができるレーザ加工機、或いは表面焼きと焼抜きを別々に行うことができるレーザ加工機のいずれも使用可能である。
【００２７】
（模様付き甲革を使用した靴の実施形態）
本発明の靴は、甲革に前記模様付き甲革２０を使用した靴であり、紳士靴、婦人靴、子供靴、カジュアルシューズ、その他のいずれの靴であってもよい。一例として図３、図４に示す靴３３は紳士靴である。この靴３３は汎用の紳士靴と同様に、表底３４、表底３４の上に設けた中入れ底３５、中物３６、シャンク３７、中底３８、甲革２０、表底３４の踵側底面に取り付けた積上げ３９、積上げ３９の下に取り付けた化粧４０をはじめとして必要な各種靴部品（パーツ）を使用して、グッドイヤウエルト式、セメンテッド式、マッケイ式、ステッチダウン式といった任意の製法で製作してある。この場合、甲革２０は図１（ａ）に示すように湾曲させ、踵部分に市革２３を取り付ける。鳩目穴３２には靴紐４１を通すことができる。
【００２８】
中底３８の底側の全面又は一部には、ハニカム構造、メッシュ構造といった通気性と弾力性のある構造のクッション材を貼り付けることができる。
【００２９】
図３に示す靴３３のデザインはブローグ調であるが、本発明の靴は、本発明の模様付き甲革２０を使用した靴であれば、他のデザイン、スタイルのものであってもよい。靴３３のスタイル、模様によって、本発明の模様付き甲革２０の模様もそれらスタイル、デザインにすることができる。
【産業上の利用可能性】
【００３０】
本発明の靴は、革製の靴に限らず、他の材質製の靴であってもよい。
【符号の説明】
【００３１】
１      ウイングチップ爪型
１ａ    メダリオン（爪先部分の穴飾り）
１ｂ    （ウイングチップ爪型の）ギザ模様
１ｃ    （ウイングチップ爪型の）親子穴
２      腰表内型
３      羽根内型
３ａ    （羽根内型の）鳩目穴
３ｂ    （羽根内型の）ギザ模様
３ｃ    （羽根内型の）親子穴
４      腰表外型
５      羽根外型
５ａ    （羽根外型の）鳩目穴
５ｂ    （羽根外型の）ギザ模様
５ｃ    （羽根外型の）親子穴
６      ウイングチップ本体型
７      舌型（紐下パーツ）
８      市革（踵パーツ）
９      縫い糸
１０    （既存の靴の）甲革
１１ａ、１１ｂ    縫い糸模様
２０    甲革
２１    甲革材
２２    舌型（紐下パーツ）
２２ａ  （舌型の）先端縁
２２ｂ、２２ｃ  （舌型の）側縁
２２ｄ  （舌型の）履き口側縁
２３    市革（踵パーツ）
２４ａ、２４ｂ  羽根
２５ａ、２５ｂ  腰
２６    履き口
２７ａ、２７ｂ    縫い糸風模様
２８    親子穴
２８ａ  親穴
２８ｂ  子穴
２９    ギザ模様
３０    ギザ模様
３１    メダリオン
３２    鳩目穴
３３    靴
３４    表底
３５    中入れ底
３６    中物
３７    シャンク
３８    中底
３９    積上げ
４０    化粧
４１    靴紐
【図１】
2017217172.tif 000003
【図２】
2017217172.tif 000004
【図３】
2017217172.tif 000005
【図４】
2017217172.tif 000006
【図５】
2017217172.tif 000007
【図６】
2017217172.tif 000008